(57)【特許請求の範囲】
【請求項１】
横断面コ字状の左右の側枠材及び上下枠材で矩形枠状に形成され、枠材にユニット取付けボルト挿通用の通孔を設け、枠材を互いに重合させつつ枠材同士を連結して、上下及び横方向に継ぎ足し自在な枠体と、
該枠体のほぼ輪郭に沿った平面形状で、前記ユニット取付けボルト挿通用の通孔が外部に露出する平板状の遮音パネルと、
該遮音パネルの裏面側周縁部に固着した取付け金具と前記枠体との間に取付けた防振装置とを有するパネルユニットを構成し、
パネルユニットを互いに連結した時に互いに隣接する遮音パネルの間に形成される前記ユニット取付けボルト挿通用の通孔が露出する隙間を、該隙間に露出する枠材に防振装置を介して取付けた遮音カバーで塞ぎ、該遮音カバーと前記遮音パネルとの間に充填材を充填することを特徴とする防振型遮音パネルユニット。
【発明の詳細な説明】
【０００１】
【発明の属する技術分野】
本発明は、清水、汚水、その他の液体を移送、排水、或いは加圧するポンプ機場やその他の機械設備の周囲に設置して、機械設備の運転に伴って発生する騒音が外部に伝搬して騒音公害となるのを防止する防振型遮音パネルユニットに関する。
【０００２】
【従来の技術】
従来、機械設備の運転に伴って発生する騒音の外部への伝搬を防止するため、内部に機械設備を収納した建物の外壁に、遮音パネル受け用の梁を遮音パネルの大きさに合わせて縦横に取付け、この梁に固定した防振装置で遮音パネルの周囲を保持しながら遮音パネルを該遮音パネルの端面を突合せつつ平面状に配置して、建物の周囲を遮音パネルで包囲することが広く行われている。
【０００３】
【発明が解決しようとする課題】
騒音に対する規制が厳しい現状において、今まで問題にならなかった騒音に対しても対策を実施することが求められるようになってきている。この要請に応えるためには、新設の設備だけでなく、既存の設備にも新たな騒音対策を施す必要がある。
【０００４】
しかしながら、従来の技術では、形状や大きさが千差万別な各建物毎に建物の周囲を遮音パネルで包囲するといった騒音対策を現場作業で個別に行っていたため、この作業がかなり面倒で時間のかかるものであった。また、新設の設備にあっては、騒音対策を施した設備をより安価かつ迅速に構築できるようにしたものの開発が強く望まれていた。
【０００５】
本発明は上記事情に鑑みて為されたもので、新設或いは既存の設備であっても、迅速かつ安価に騒音対策を施すことができるようにした防振型遮音パネルユニットを提供することを目的とする。
【０００６】
【課題を解決するための手段】
本発明の防振型遮音パネルユニットは、横断面コ字状の左右の側枠材及び上下枠材で矩形枠状に形成され、枠材にユニット取付けボルト挿通用の通孔を設け、枠材を互いに重合させつつ枠材同士を連結して、上下及び横方向に継ぎ足し自在な枠体と、該枠体のほぼ輪郭に沿った平面形状で、前記ユニット取付けボルト挿通用の通孔が外部に露出する平板状の遮音パネルと、該遮音パネルの裏面側周縁部に固着した取付け金具と前記枠体との間に取付けた防振装置とを有するパネルユニットを構成し、パネルユニットを互いに連結した時に互いに隣接する遮音パネルの間に形成される前記ユニット取付けボルト挿通用の通孔が露出する隙間を、該隙間に露出する枠材に防振装置を介して取付けた遮音カバーで塞ぎ、該遮音カバーと前記遮音パネルとの間に充填材を充填することを特徴とする。
【０００７】
これにより、防振型遮音パネルユニットを予め工場等で組立てて現場に搬送し、このパネルユニットを結合して建物の周囲を遮音パネルで包囲することで、現場での作業時間の短縮と費用の削減を図ることができる。特に、新設の設備にあっては、例えば建物の柱に取付けた梁に防振型遮音パネルユニットを取付けて遮音パネルを外壁とすることで、建物自体の外壁を不要となすことができる。
【０００８】
また、枠体を上下方向及び横方向に継ぎ足すことで、遮音パネルを平面状に敷き並べることができる。
【０００９】
【発明の実施の形態】
以下、本発明の実施の形態を図面を参照して説明する。図１は、本発明の実施の形態の防振型遮音パネルユニット（以下、単にパネルユニットという）１０の断面図を示し、図２及び図３は、該パネルユニット１０を構成する枠体１１を示す。図２及び図３に示すように、枠体１１は、横断面コ字状のチャンネル部材で構成された上枠材１２、下枠材１３及び左右の側枠材１４，１４からやや縦長の矩形枠状に形成されている。そして、各枠材１２，１３，１４の幅方向の中央で長さ方向に沿った所定の位置には、下記のパネル用防振装置１９を取付けるための透孔１５が設けられている。
【００１０】
パネルユニット１０は、図１に示すように、前記枠体１１と、この枠体１１の表面に配置される矩形平板状の遮音パネル１６と、この遮音パネル１６の裏面側周縁部に固着された断面鈎型のパネル取付け金具１７と前記枠体１１の各枠材１２，１３，１４との間にパネル取付けボルト１８を介して取付けたパネル用防振装置１９とからなる。このパネル用防振装置１９は、例えば円筒状のゴムにより構成されている。これにより、遮音パネル１６は、その周縁部において、枠体１１に取付けたパネル用防振装置１９で保持された状態で該枠体１１と一体化されている。そして、このパネルユニット１０は、工場等で予め組立てられて現場に搬送される。
【００１１】
ここで、図５に示すように、遮音パネル１６の幅Ｗ１は、枠体１１の幅Ｗ２より僅かに狭く設定され、高さＨ１は、枠体１１の高さＨ２よりもやや低く、上枠材１２及び下枠材１３に設けた下記のユニット取付けボルト２２挿通用の通孔が外部に露出する程度の大きさに設定されている。
【００１２】
次に、この実施の形態のパネルユニットの使用例を図４及び図５を参照して説明する。図４は、中央に位置するパネルユニット１０の上下に他のパネルユニット１０ａ，１０ｂを結合しつつ、このパネルユニット１０，１０ａ，１０ｂを、例えば建物の柱に取付けたパネル受け梁２０に枠体１１，１１ａ，１１ｂを介して取付けて、建物の周囲を包囲するようにした例を示す。なお、図４において、上方に位置するパネルユニットの中央に位置するパネルユニットと同一部材には同一符号に英文字ａを添付して、下方に位置するパネルユニットには、同じく英文字ｂを添付している。
【００１３】
まず、中央に位置するパネルユニット１０の上枠材１２の上面と上方に位置するパネルユニット１０ａの下枠材１３ａの下面とを互いに重合させ、両枠材１２，１３ａを、枠締結ボルト２１で締結するとともに、例えばＨ型鋼等からなるパネル受け梁２０のウェブ部２０ａの表面に前記両枠材１２，１３ａを当接させ、ユニット取付けボルト２２を介して該両枠材１２，１３ａをパネル受け梁２０に取付ける。同様に、中央に位置するパネルユニット１０の下枠材１３の下面と下方に位置するパネルユニット１０ｂの上枠材１２ｂの上面とを互いに重合させ、両枠材１３，１２ｂを、枠締結ボルト２１で締結するとともに、両枠材１３，１２ｂをユニット取付けボルト２２を介してパネル受け梁２０に取付ける。
【００１４】
ここで、中央に位置するパネルユニット１０の遮音パネル１６の上端面と上方に位置するパネルユニット１０ａの遮音パネル１６ａの下端面との間には隙間Ｓが生じ、この隙間Ｓを通してユニット取付けボルト２２の締付け作業が行われ、この締付け作業終了後に隙間Ｓを塞ぐ必要がある。
【００１５】
このため、この実施の形態においては、前記両枠材１２，１３ａの枠締結ボルト２１による締結に際して、ステー２３の基部を一体に締結し、このステー２３の先端に遮音カバー用防振装置２５を取付け、前記隙間Ｓよりも僅かに狭い幅の遮音カバー２４を該隙間Ｓの内部に配置して、この遮音カバー２４に設けた透孔内に前記遮音カバー用防振装置２５から延びるボルトの軸部を挿通させ、このボルトにナット２６を締付け、更に、パネルユニット１０の遮音パネル１６の上端面と遮音カバー２４の下面との間の隙間、及びパネルユニット１０ａの遮音パネル１６ａの下端面と遮音カバー２４の上面との間の隙間に充填材２７を充填させている。
【００１６】
このことは、中央に位置するパネルユニット１０と下方に位置するパネルユニット１０ｂとの関係においても同様である。
【００１７】
また、図示しないが、左右に位置するパネルユニットにあっては、遮音パネルの互いに隣接する側端面間に僅かの隙間が生じるように両パネルユニットを配置し、この隙間の内部に前記と同様にして充填材を充填させることで、この隙間を充填材で埋めている。
【００１８】
このようにして、新規の設備にあっては、パネルユニット１０の遮音パネル１６を外壁として、建物自体の外壁を不要となすことができる。また、既存及び新規のいずれの設備にあっても、予め工場で形成したパネルユニットを現場に搬送し、このパネルユニットを互いに上下方向及び横方向に結合して、建物の周囲を遮音パネルで包囲することで、現場での作業時間の短縮と費用の削減を図ることができる。
【００１９】
図５は、他の使用例を示すもので、これは、中央に位置するパネルユニット１０の左右に他のパネルユニット１０ｃ，１０ｄを予め工場等で結合して、これを現場に搬送して建物の梁等に取付けるようにしたものである。なお、図５において、左側に位置するパネルユニットの中央に位置するパネルユニットと同一部材には同一符号に英文字ｃを添付して、右方に位置するパネルユニットには、同じく英文字ｄを添付している。
【００２０】
このように、任意の枚数（例えば３枚）のパネルユニットを予め工場等で結合して現場に搬送し、このまま建物の梁等に取付けることで、より一層の現場での作業時間の低減と費用の削減を図ることができる。
【００２１】
なお、この実施の形態にあっては、枠体として矩形枠状のものを、遮音パネルとして枠体の外形に沿った矩形平板状のものをそれぞれ使用してパネルユニットを構成した例を示しているが、枠体として、例えば六角形や八角形等、任意の形状のものを、遮音パネルとし枠体の外形に沿った形状のものをそれぞれ使用してパネルユニットを構成しても良いことは勿論である。
【００２２】
【発明の効果】
以上に説明したように、本発明によれば、新設の設備にあっては、遮音パネル自体を外壁とすることで、建物自体の外壁を不要として、大幅な費用削減を図り、また新設及び既存のいずれの設備にあっても、遮音パネルをユニット化することで、現場での作業の短縮と費用の削減を図ることができる。
【図面の簡単な説明】
【図１】本発明の実施の形態の防振型遮音パネルユニットを示す断面図である。
【図２】図１の防振型遮音パネルユニットを構成する枠体の正面図である。
【図３】図２の側面図である。
【図４】中央に位置する防振型遮音パネルユニットの上下に他の遮音型遮音パネルユニットを結合した状態の断面図である。
【図５】３枚の防振型遮音パネルユニットを横方向に結合した状態の正面図である。
【符号の説明】
１０，１０ａ，１０ｂ，１０ｃ，１０ｄ    パネルユニット
１１    枠体
１２    上枠材
１３    下枠材
１４    側枠材
１５    透孔
１６    遮音パネル
１７    パネル取付け金具
１９    パネル用防振装置
２０    梁
２３    ステー
２４    遮音カバー
２５    遮音カバー用防振装置
２７    充填材
【図１】
0003850178.tif 000002
【図２】
0003850178.tif 000003
【図３】
0003850178.tif 000004
【図４】
0003850178.tif 000005
【図５】
0003850178.tif 000006